(57)【要約】【課題】偏向器のロック検出を、偏向器ドライバに頼ること無く即座に行うことができる光書込装置を提供する。【解決手段】光ビームを副走査方向に所定ピッチずつずらしながら、主走査方向に走査する光書込装置において、主走査方向の書き出しの基準位置を検出する基準位置検出手段２７と、基準位置検出信号の発生間隔を計測する計測手段５１と、計測結果を格納する計測結果格納手段５２と、を備えた。【選択図】図１
2007152702.tif 000002
【特許請求の範囲】
【請求項１】
光ビームを副走査方向に所定ピッチずつずらしながら、主走査方向に走査する光書込装置において、主走査方向の書き出しの基準位置を検出する基準位置検出手段と、該基準位置検出手段により検出された基準位置検出信号の発生間隔を計測する計測手段と、該計測手段により計測された計測結果を格納する計測結果格納手段と、を備えたことを特徴とする光書込装置。
【請求項２】
請求項１記載の光書込装置において、計測回数を指定する操作手段を備えたことを特徴とする光書込装置。
【請求項３】
請求項２記載の光書込装置において、実際の計測結果とあらかじめ格納された計測結果とを比較する演算比較手段を備え、該演算比較手段にて得られた比較結果に従い、計測結果の格納可否を判断することを特徴とする光書込装置。
【請求項４】
請求項１記載の光書込装置を搭載した画像形成装置。
【発明の詳細な説明】
【技術分野】
【０００１】
本発明は、光書込装置及びその光書込装置を搭載した画像形成装置に関する。
【背景技術】
【０００２】
光走査装置により光ビームを感光体に書き込んで潜像形成を行うデジタル方式の画像形成装置においては、印刷動作時、副走査方向の倍率変更を行う場合、光ビームを主走査方向に走査する偏向器の回転数を変更している。偏向器の回転数は基準ＣＬＫ周波数によって制御され、この周波数を変更することにより回転数切り替えを行っている。
偏向器の回転数は、偏向器ドライバにて発生されるロック信号に基づき、安定状態となったか否かの判定を行っている。安定状態となったことが確認されれば、印刷ＯＫとなり印刷動作の実行を行う。
【発明の開示】
【発明が解決しようとする課題】
【０００３】
上述したように、偏向器の回転数安定状態の判定は、偏向器から発生されるロック信号により行っているが、このロック信号は、その仕様から、実際のロック動作に対して遅延が発生し微小な回転数変更に対して追従できない等の検出制約が存在している。
従って、連続印刷動作途中に偏向器回転数を変更した場合、動作レスポンスの遅いロック信号を待つか、もしくは、回転数変更後、一定時間の経過でロックしたことを予測して、次の印刷動作を行う必要があった。
本発明は、上記課題を解決し、偏向器のロック検出を、偏向器ドライバに頼ること無く即座に行うことができる光書込装置及び画像形成装置を提供することを目的とする。
【課題を解決するための手段】
【０００４】
上記目的を達成するために、請求項１記載の発明は、光ビームを副走査方向に所定ピッチずつずらしながら、主走査方向に走査する光書込装置において、主走査方向の書き出しの基準位置を検出する基準位置検出手段と、該基準位置検出手段により検出された基準位置検出信号の発生間隔を計測する計測手段と、該計測手段により計測された計測結果を格納する計測結果格納手段と、を備えたことを特徴とする。
請求項２記載の発明は、請求項１記載の光書込装置において、計測回数を指定する操作手段を備えた光書込装置を主要な特徴とする。
請求項３記載の発明は、請求項２記載の光書込装置において、実際の計測結果とあらかじめ格納された計測結果とを比較する演算比較手段を備え、該演算比較手段にて得られた比較結果に従い、計測結果の格納可否を判断することを特徴とする。
請求項４記載の発明は、請求項１記載の光書込装置を搭載した画像形成装置を最も主要な特徴とする。
【発明の効果】
【０００５】
本発明は、光ビームを副走査方向に所定ピッチずつずらしながら、主走査方向に走査する光書込装置において、主走査方向の書き出しの基準位置を検出する基準位置検出手段と、基準位置検出信号の発生間隔を計測する計測手段と、計測結果を格納する計測結果格納手段を備えたので、偏向器のロック検出を、偏向器ドライバに頼ること無く即座に行うことができる。
【発明を実施するための最良の形態】
【０００６】
以下、本発明の実施形態を図面に従って説明する。
図１は本発明の実施形態に係るデジタル複写機の概略ブロック構成図である。このデジタル複写機において、原稿画像を読み取るスキャナ部１は、読み取った信号をＡ／Ｄ変換して黒オフセット補正、シェーディング補正、画素位置補正するＶＰＵ１１、画像処理を行うＩＰＵ１２を備えている。光書込部２は、書込制御ＡＳＩＣ２１、半導体レーザの制御を行うＬＤ制御部２２、半導体レーザ(ＬＤアレイ)２３を備えている。
システムバス３には、装置全体の制御を実行するＣＰＵ４、制御プログラムが格納されているＲＯＭ５、制御プログラムが一時的に使用するＲＡＭ６、読み取った画像を記憶する画像メモリ７、ユーザが指示を与える操作部８が接続されている。インターフェース９はシステムバス３とＩＰＵ１２間のやりとりを行う。
【０００７】
図２は図１に示す光書込部を含む光書込装置全体の構成図である。半導体レーザ２３より前方に出射された光ビームは、図示しないコリメータレンズによりコリメートされて、回転多面鏡からなる偏向器２４で偏向され、ｆθレンズ２５により感光体ドラム２６の帯電器で一様に帯電された表面に結像される。
その結像スポットが偏向器２４の回転で感光体ドラム２６の軸方向(主走査方向)に反復して移動すると同時に感光体ドラム２６が回転する。光検出器２７は情報書込領域外に設けられ、偏向器２４で偏向された光ビームを検出して同期検知信号を発生する。
書込制御ＡＳＩＣ２１は情報信号をＬＤ制御部２２内のＬＤ駆動部２２−１に印加するが、そのタイミングを光検出器２７からの同期信号により制御する。ＬＤ駆動部２２−１は書込制御ＡＳＩＣ２１からの情報信号により、半導体レーザ２３を駆動させて感光体ドラム２６上に静電潜像を形成させる。この静電潜像は現像器で現像されて転写器で転写紙に転写される。
また、半導体レーザ２３内の発光部２３−１から後方に出射される光ビームは受光部２３−２に入射してその光強度が検出され、それによる受光信号がＬＤ制御部２２のＡＰＣ制御部２２−２に供給される。ＡＰＣ制御部２２−２は受光部２３−２の出力信号に応じてＬＤ駆動部２２−１を制御して半導体レーザ２３の発光部２３−１を構成する各発光素子の出力光量を一定に制御する（ＡＰＣ制御）。具体的には半導体レーザ２３の各発光素子の駆動電源を、それぞれの受光信号により各発光素子の出力光量が一定になるように調整して保持する。
【０００８】
図３は書込制御ＡＳＩＣの概略構成図である。ＩＰＵ１２からの画像データを速度変換及びフォーマット変換するメモリブロック３１、メモリブロック３１からの画像データを画像処理する画像処理部３２、画像処理部３２からの画像データに対してγ変換、Ｐ(フォト)センサパターン付与等の処理を行う出力データコントロール部３３からなっている。出力データコントロール部３３は画素カウンタ４１と同期検知部４２を有する。
図４は本発明の書込制御ＡＳＩＣの要部構成図である。前出の出力データコントロール部３３の内部に設けられた同期検知部４２にて得られた同期信号に対して、その信号距離を計測する計測手段５１、計測結果を格納する計測結果格納手段５２、複数の計測値を演算比較する演算比較手段５３を有するものである。
同期信号間の計測手段５１は、内部ＣＬＫにて動作を行うカウンタを設け、同期信号にて、その時のカウンタ値の格納とカウンタ値のリセット動作を行うことで計測の実現を図るものである。
【０００９】
図５は光検出器２７から出力される同期検知信号間の計測内容を示す図である。
（ａ）に示すように８回計測する。計測した結果、Ｎ１〜Ｎ８を格納する。
（ｂ）は偏向器２４の回転開始時の波形を示す。ここでは、４回目の計測時に偏向器２４のロックが完了して、安定領域に入っている。ここでは、Ｋ１〜Ｋ６と６回計測を行った例を示す。
図６は図５（ａ）に示すタイミングで得られた複数の計測結果を用いての演算比較手段の動作フロー図である。
図６において、計測開始のフラグがセットされると（Ｓ６０１）、それまでの計測回数を確認して（Ｓ６０２）指定回数のＭ回に達してしない場合は、同期信号間のＣＬＫ数計測の実施（Ｓ６０３）、計測回数のカウントＵＰ（Ｓ６０４）計測値の格納（Ｓ６０５）を行う。これを続けて、計測回数がＮ回に達すると（Ｓ６０２でＹ）、計測フラグのＯＦＦにて計測状態の終了（Ｓ６０６）、計測回数をゼロに戻す（Ｓ６０７）。
図７の格納処理においては、計測動作毎に計測回数カウント値に対応した計測結果格納手段５２の格納エリアに計測結果が随時格納される（Ｓ６１０）。
図８の比較演算処理においては、格納した８個の値を参照して、ＭＡＸ値、ＭＩＮ値を選別して、その差分を算出すると共に(Ｓ６１１、Ｓ６１２)、差分値の格納を行うものである(Ｓ６１３)。格納と同時に、差分値と予め任意に設定可能な閾値とを比較して、差分＞閾値の場合は、偏向器２４がロック状態でないと判断して、その状態をＣＰＵ４に通知する。
図９は計測値、Ｎ１〜Ｎ８を計測カウンタ値に従って格納した状態を示す図である。
【００１０】
図１０は格納処理を示す動作フロー図である。計測回数分、格納エリア数を準備するのではなく、計測した結果と格納された結果を比較して、ＭＩＮ、ＭＡＸ値の更新があった場合には格納を行う場合の処理を示す。これによると、格納エリアを最小サイズの構成をすることが可能となる。
１回目の計測結果は、ＭＩＮ、ＭＡＸの両格納エリアに格納する（Ｓ８０１、Ｓ８０２）。２≦Ｍ時は、ＭＩＮ値と計測結果を比較して（Ｓ８０３）、計測結果の方が小さい場合は、ＭＩＮ値を更新し（Ｓ８０４）、計測値とＭＡＸ値を比較して（Ｓ８０５）、計測値の方が大きい場合は、ＭＡＡＸ値の更新を行う（Ｓ８０６）。上記の条件に合わない場合は、更新はしない。これによると格納エリアを２個とすることが可能となる。
【図面の簡単な説明】
【００１１】
【図１】本発明の実施形態に係るデジタル複写機の概略ブロック構成図である。
【図２】図１に示す光書込部を含む光書込装置全体の構成図である。
【図３】書込制御ＡＳＩＣの概略構成図である。
【図４】本発明の書込制御ＡＳＩＣの要部構成図である。
【図５】光検出器から出力される同期検知信号間の計測内容を示す図である。
【図６】図５（ａ）に示すタイミングで得られた複数の計測結果を用いての演算比較手段の動作フロー図である。
【図７】格納処理を示す動作フロー図である。
【図８】格納処理を示す動作フロー図である。
【図９】計測値、Ｎ１〜Ｎ８を計測カウンタ値に従って格納した状態を示す図である。
【図１０】格納処理を示す動作フロー図である。
【符号の説明】
【００１２】
２１  書込制御ＡＳＩＣ
２２  ＬＤ制御部
２３  半導体レーザ
２４  偏向器
２７  光検出器(基準位置検出手段)
４２  同期検知部
５１  計測手段
５２  計測結果格納手段
５３  演算比較手段
【図１】
2007152702.tif 000003
【図２】
2007152702.tif 000004
【図３】
2007152702.tif 000005
【図４】
2007152702.tif 000006
【図５】
2007152702.tif 000007
【図６】
2007152702.tif 000008
【図７】
2007152702.tif 000009
【図８】
2007152702.tif 000010
【図９】
2007152702.tif 000011
【図１０】
2007152702.tif 000012